(57)【要約】【課題】    単体軸受の径方向に貯油槽孔を貫通させて設け、且つ、この貯油槽孔の断面面積の横幅は軸孔直径値より小さく、軸心がより大きな支持面を得ることができると共に、複数の貯油槽孔を開設することができ、簡易な加工手順で全体の構造強度を増加させ、且つ、均一に潤滑油を分布させることができる軸受の潤滑油保持具の提供。【解決手段】    一体成形の単体軸受を含み、その中心に軸孔を設け、そのうち、該軸受外表面から内側へ向かって軸孔の中心線を経由し径方向に貫通して相対する貯油槽孔を設け、且つ、該貯油槽孔の断面面積の横幅は軸孔の直径値より小さく、貯油槽孔の対外槽口を封止部材により封止する。【選択図】    図２ 
0003111718.tif 000002
【実用新案登録請求の範囲】
【請求項１】
一体成形の単体軸受を含み、その中心に軸孔を設け、そのうち、該軸受外表面から内側へ向かって軸孔の中心線を経由し径方向に貫通して相対する貯油槽孔を設け、且つ、該貯油槽孔の断面面積の横幅は軸孔の直径値より小さく、貯油槽孔の対外槽口が封止部材により封止された軸受の潤滑油保持具。
【請求項２】
前記封止部材は、その全体が中空の円筒状を呈し、大きさは軸受にぴったり合わせ、該封止部材の上下両端にそれぞれ嵌合部を設け、その断面がコの字形を呈し、外部から軸受を完全に包覆する請求項１に記載の軸受の潤滑油保持具。
【請求項３】
前記貯油槽孔の断面が円形である請求項１に記載の軸受の潤滑油保持具。
【請求項４】
前記貯油槽孔の断面が楕円形である請求項１に記載の軸受の潤滑油保持具。
【請求項５】
前記貯油槽孔の断面が方形である請求項１に記載の軸受の潤滑油保持具。
【請求項６】
前記軸受に開設する貯油槽孔を上下に位置をずらせて排列して設けた請求項１乃至５に記載の軸受の潤滑油保持具。
【請求項７】
前記軸受に開設する貯油槽孔を上下近隣で相互に位置を対応させ、対接面を接続した請求項１乃至５に記載の軸受の潤滑油保持具。
【請求項８】
前記貯油槽孔に外側へ向かって広がるテーパ斜面を設けた請求項１乃至５に記載の軸受の潤滑油保持具。
【請求項９】
一体成形の単体軸受を含み、その中心に軸孔を設け、そのうち、該軸受外表面から内側へ向かって軸孔の中心線を経由し径方向に貫通して相対する貯油槽孔を設け、且つ、該貯油槽孔に外側へ向かって広がるテーパ斜面を設け、該貯油槽孔の断面面積の横幅は軸孔の直径値より小さく、貯油槽孔の対外槽口が封止部材により封止された軸受の潤滑油保持具。
【請求項１０】
前記封止部材は、その全体が中空の円筒状を呈し、大きさは軸受にぴったり合わせ、該封止部材の上下両端にそれぞれ嵌合部を設け、その断面がコの字形を呈し、外部から軸受を完全に包覆する請求項９に記載の軸受の潤滑油保持具。
【請求項１１】
前記貯油槽孔の断面が円形である請求項９に記載の軸受の潤滑油保持具。
【請求項１２】
前記貯油槽孔の断面が楕円形である請求項９に記載の軸受の潤滑油保持具。
【請求項１３】
前記貯油槽孔の断面が方形である請求項９に記載の軸受の潤滑油保持具。
【請求項１４】
前記軸受に開設する貯油槽孔を上下に位置をずらせて排列して設けた請求項９乃至１２に記載の軸受の潤滑油保持具。
【請求項１５】
前記軸受に開設する貯油槽孔を上下近隣で相互に位置を対応させ対接面を接続した、請求項９乃至１２に記載の軸受の潤滑油保持具。
【考案の詳細な説明】
【技術分野】
【０００１】
本考案は、軸受の潤滑油保持具に関し、詳細には、軽負荷型高速軸受に用いる潤滑油保持具であって、主に、軸受外側表面から径方向に貫通させた対称の貯油槽孔を設け、この貯油槽孔の断面積は軸孔直径値より小さいものとし、且つ、複数の設置が可能で、油膜の分布を均一にする、軸受の潤滑油保持具に関する。
【背景技術】
【０００２】
一般的な軽負荷型高速軸受は、特に、回転式ドライブやＣＰＵ放熱ファン等の電子関連周辺設備に応用され、高速回転の必要性と低騒音、狭い空間の制限等の条件に合わせるため、微小型の軸受を関連する回転軸の軸心に運用する必要があり、同時に、回転時に発生する摩擦力を減少させるため、潤滑を行う必要がある。
【０００３】
このような軸受については、公告第５５４９７０号の「セラミック軸受の中空構造」という特許があるが、この軸受は図１に示すように、主に単体性軸受２の中央に軸孔を設けて軸心１を枢置するものであり、この案は軸受２の外側表面に中空孔２１を開設し、この中空孔２１の幅は軸心１の直径より大きく、且つ、180°軸心１を囲む方式で軸心１の外囲に沿って180°の環状溝槽２２を形成し、この設計により軸受２が軸心１の軸接面２３に対する支持が明らかに縮小され、小面積のみの接触となり、全体の構造強度が明らかに不足してしまい、容易に使用寿命の短縮または損壊等の状況が発生してしまう。
【０００４】
さらに、この設計の生産方式は、中空孔２１を陥入状に形成するため、一般的な機具で加工することができず、金型を使って生産する必要があり、相対的にその製造材質が金型成形条件に制限されてしまい、効果的な生産量の向上と製造コストの減少ができなくなってしまう。
【０００５】
そこで上述の従来品の欠点に鑑みて、本考案は、考案者の当該事業における長年の経験に基づき、積極的に研究と改良を重ね、本考案の軸受の潤滑油保持具を提供するものである。
【考案の開示】
【考案が解決しようとする課題】
【０００６】
本考案の主な目的は、単体軸受の径方向に貯油槽孔を貫通させて設け、且つ、この貯油槽孔の断面面積の横幅は軸孔直径値より小さく、軸心がより大きな支持面を得ることができると共に、複数の貯油槽孔を開設することができ、簡易な加工手順で全体の構造強度を増加させ、且つ、均一に潤滑油を分布させることができる、軸受の潤滑油保持具を提供することにある。
【０００７】
本考案の第二の目的は、複数の貯油槽孔を上下に相互に対面または交錯させて開設し、軸受が潤滑油液に接触する対接面に潤滑油液が多方向から均一に分布する、軸受の潤滑油保持具を提供することにある。
【０００８】
本考案の第三の目的は、貯油槽孔を径方向に貫通させて設けることにより、貯油面積を大きくでき、この貯油槽孔の対外槽口は、封止部材で塞ぐことで油液の外部への漏れ出しを防止する、軸受の潤滑油保持具を提供することにある。
【０００９】
本考案の第四の目的は、貯油槽孔を外側へ向かって広がるテーパ状とし、軸心の回転の遠心作用に対抗でき、この外側へ向かって広がるテーパ面の形状により保持する油液の圧縮または退行の空間を形成し、潤滑油液の軸心に向かって分布し潤滑を行うときの流量を制御できる、軸受の潤滑油保持具を提供することにある。
【課題を解決するための手段】
【００１０】
本考案の軸受の潤滑油保持具は、一体成形の単体軸受を含み、その中心に軸孔を設け、そのうち、該軸受外表面から内側へ向かって軸孔の中心線を経由し径方向に貫通して相対する貯油槽孔を設け、且つ、該貯油槽孔の断面面積の横幅は軸孔の直径値より小さく、貯油槽孔の対外槽口を封止部材により封止する。
【考案を実施するための最良の形態】
【００１１】
本考案の詳細な説明及び技術内容について、以下、図面に基づき説明するが、これら図面は参考及び説明に用いるために提供するものとし、本考案を制限するものではない。
【実施例１】
【００１２】
本考案の詳細な内容は、まず、図２に示すように、主に単体軸受３の内部縦方向に軸孔３１を貫通させて設け、この軸孔３１に軸心１を枢置し、軸受３の径方向位置に対称の貯油槽孔３２を貫通させて設け、この貯油槽孔３２の断面面積の横幅は軸孔３１の直径値より小さいものとし、これにより、軸孔３１が軸心１の表面に対し、より大きな内周支持面３０を得、軸心１を支持することができる。
【００１３】
貯油槽孔３２は潤滑油液を保持し、横方向に軸孔３１に通じているため、保持する油液が直接軸心１に分布し、且つ、軸心１と軸孔３１の接触する隙間に毛管現象が形成され、油液を膜状に内周支持面３０全体の表面に分布させることができる。
【００１４】
貯油槽孔３２の対外槽口３２０は、封止部材４で塞ぎ、油液が外部に漏れ出るのを防ぎ、この封止部材４は、外部に被せる方式を含め、軸受３と結合を形成するあらゆる方式とすることができる。
【００１５】
貯油槽孔３２の内側へ向かって貫通させる方向は、軸孔３１の中心線を経由するものとする。
【００１６】
図３に示すように、軸受３に設けた軸孔３１は貫通状としてもよく、この貫通の目的はラジアル軸受を形成し使用することである。軸心１は一定の長さを備えているため、軸受３に設けた貯油槽孔は、複数の３２ａ、３２ｂに分け縦方向に間隔をあけて分布させ、相対的に油膜を均一に提供することができる。上述の貯油槽孔３２ａ、３２ｂの軸心１に相対する外側端口は、図２に示すように封止部材４で封止する。この封止部材４の全体は中空の円筒状を呈し、その大きさは軸受３に合わせ、軸受３の全体を包覆し、油液を効果的に軸孔内部に封止することができる。そのうち、封止部材４の上下端に嵌合部３３を設け、図２の断面図で見ると、その左右両側は２つのコの字形を呈する状態となり、効果的に軸受を外部から完全に包覆することができる。
【実施例２】
【００１７】
図３に示す貯油槽孔３２ａ、３２ｂの開設方向は、軸心１の中心線を通るが、図４に示すように、軸受３に開設する複数の貯油槽孔は３２ａ、３２ｂ、３２ｃのように、その開設の位置と角度を異なる間隔で上下に排列し、位置をずらして設置してもよい。
【００１８】
図４−１に示すように、貯油槽孔３２ａをθ１の角度で設け、貯油槽孔３２ｂをθ２の角度で設け、そして３２ｃをθ３の角度で設けると共に、その内側へ向かって開設される方向はすべて軸孔３１の中心を貫通する。このため、上下及び角度と位置を交錯させて分布させた複数の貯油槽孔の実施により、異なる角度から油膜を提供し、軸孔３１に対し均一に油膜が分布される。
【実施例３】
【００１９】
図５に示すように、一定の高さの軸受３の縦方向内部は、軸心１の潤滑油液をつける対接面１１により完全に油膜を分布させるため、各貯油槽孔を上下近隣で交錯または対立させる方式で設けてもよく、例えば、貯油槽孔３２ａを最上位置に設け、別の片側に貯油槽孔３２ｂを開設し、貯油槽孔３２ｂの対接面と貯油槽孔３２ａの対接面が相互につながるようにし、貯油槽孔３２ｅまで同様とし、軸心１は完全につながった対接面１１を得ることができ、これにより、効果的に軸受の高さ内で全面的に油膜の提供を受けることができる。
【００２０】
この図に示す軸受３はスラスト軸受の設計であるが、その実施方式は複数の貯油槽孔を相互に対応させ、対接面１１を組み合わせてつなげる方法であり、これは図３に示すラジアル軸受にも応用可能である。
【実施例４】
【００２１】
図６に示すように、本考案で開設する貯油槽孔は、円形断面の開設のほか、方形断面としてもよく、且つ、この貯油槽孔の横幅は軸孔３１の直径より小さいものとし、潤滑油の供給の必要量に応じ、異なる高さの貯油槽孔３２ａ、３２ｂとすることができる。
【実施例５】
【００２２】
図７に示すように、本考案で開設する貯油槽孔は、さらに生産条件に応じ、且つ方形の角端の応力の集中を避けるため、楕円形の貯油槽孔３２ａ、３２ｂとしてもよく、異なる長さにより異なる油液の分布量を得、且つ、この楕円形の貯油槽孔３２ａ、３２ｂの横幅は軸孔３１の直径より小さいものとする。
【実施例６】
【００２３】
図８に示すように、本考案で開設する槽孔３２は、油体５の保持に用い、軸心１の貯油槽孔３２に相対する対接面１０は、軸心１が高速で回転するとき、油体５に対し遠心駆動作用を生み、油体５が外側へ向かって押されるため、貯油槽孔３２の外側端にテーパ斜面３２１を設け、貯油槽孔３２を外側に向かって広がった状態としてより大きな容積を得、油体５に圧縮または退行の空間を提供することができる。
【００２４】
油体５の注入量が満杯または満杯でないどちらの状況においても、軸心１の高速回転により形成される遠心駆動力を受け、油体５が外側へ向かって圧送され、遠心力による移動空間を緩和する。
【００２５】
貯油槽孔３２の対外槽口３２０は、封止部材４で封止し、且つ、貯油槽孔３２の貫通方向は外側から内側へ、軸心１の中心線方向に向かって貫通させて設ける。
【００２６】
本考案の実施は、ＣＮＣ工具機での加工、射出し成形または粉末鍛造等の方式で形成することができ、その材質は金属、各種プラスチック材料または高分子工業プラスチックを採用し製造することができる。基本的に本考案の構造は、貯油槽孔の断面の横幅が軸孔の直径より小さいため、加工が簡単でさまざまな方式で実施できるほか、軸孔内周面が軸心に対しより大きな支持面を形成し、軸受全体の機械強度を向上することができる。
【００２７】
上述のように、本考案の軸受の潤滑油保持具は、上述の構造により確実に目的とする効果を得ることができる。且つ、本考案は出願前に刊行物の記載や公開使用がなされておらず、実用新案登録の新規性と進歩性等の要件を満たしている。
【００２８】
上述の図面及び説明は、本考案の実施例に基づくものであり、本考案の実施の範囲を制限するものではなく、該項技術に詳しい人士が本考案の特徴範疇に基づき行った同等の効果を得る変化や修飾もすべて本考案の権利範囲に含まれるものとみなす。
【図面の簡単な説明】
【００２９】
【図１】従来の軸受の立体透視図である。
【図２】本考案を用いた軸受の断面図である。
【図３】本考案をラジアル軸受に応用した断面図である。
【図４】本考案の貯油槽孔を軸受に上下に交錯させて複数分布させた状態を示す立体外観図である。
【図４−１】図４の上面図である。
【図５】本考案の貯油槽孔を相互に対応させ完全な対接面を形成した状態を示す断面図である。
【図６】本考案の貯油槽孔の断面を方形に開設した状態を示す側面図である。
【図７】本考案の貯油槽孔の断面を楕円形に開設した状態を示す側面図である。
【図８】本考案のテーパ斜面を設けた貯油槽孔を開設した状態を示す断面図である。
【符号の説明】
【００３０】
１        軸心
１０、１１    対接面
２        単体性軸受
２１      中空
２２   
環状溝槽
２３      軸接面
３        単体軸受
３０      内周支持面
３１      軸孔
３２、３２ａ、３２ｂ、３２ｃ、３２ｄ、３２ｅ    貯油槽孔
３３      嵌合部
３２０    対外槽口
３２１    テーパ斜面
４        封止部材
５        油体
【図１】
0003111718.tif 000003
【図２】
0003111718.tif 000004
【図３】
0003111718.tif 000005
【図４】
0003111718.tif 000006
【図４−１】
0003111718.tif 000007
【図５】
0003111718.tif 000008
【図６】
0003111718.tif 000009
【図７】
0003111718.tif 000010
【図８】
0003111718.tif 000011